(57)【要約】【課題】愛玩動物用餌を収納した斬新な郵便物とする。【解決手段】プラスチックフィルム製扁平袋Ｆ内に同じく扁平状愛犬用ササミ（餌）Ｂを収納し、袋Ｆは餌Ｂが見える透明窓３を有すると共に、宛名スペース１及び伝文スペース２を有する。その宛名スペース１に送り先を記載し、伝文スペース２には送り主の犬に関する気持ちとともに送り先への気持ちを、筆記具によって記載する。このように、個人同士の郵便物であれば、愛犬家同士間等の個人同士における挨拶状代わりとなって、今までになかった斬新な郵便物となり、販売促進に繋がる。このとき、袋に、収納餌の宣伝文等を記載しておけば、さらに販売促進に繋がる。【選択図】図２
0003130617.tif 000002
【実用新案登録請求の範囲】
【請求項１】
扁平袋（Ｆ）内に同じく扁平状愛玩動物用餌（Ｂ）を収納し、前記袋（Ｆ）は前記餌（Ｂ）が見える透明窓（３）を有すると共に、宛名スペース（１）及び伝文スペース（２）を有することを特徴とする郵便物。
【請求項２】
上記扁平状愛玩動物用餌（Ｂ）が、ササミであることを特徴とする請求項１に記載の郵便物。
【請求項３】
上記宛名スペース（１）及び伝文スペース（２）は、筆記具によって記載可能であることを特徴とする請求項１又は２に記載の郵便物。
【考案の詳細な説明】
【技術分野】
【０００１】
この考案は、愛玩動物用餌を伝文とともに送るための郵便物（宅配便も含む）に関する。
【背景技術】
【０００２】
今日、商品の販売促進を図るためのダイレクトメールが氾濫しており、そのダイレクトメールには、プラスチックフィルム製封筒に、各種の商品カタログを入れて顧客に送りつけたり、商品そのものを入れて送りつけたりしている（特許文献１、２参照）。
その袋には、中の商品等を確認し得る透明窓を有するものとしたり（特許文献２参照）、宛名スペースのみならず、伝文（コメント）スペースを有するものとしたりしたものもある（特許文献３参照）。
【特許文献１】特開平０９-０５８６９８号公報
【特許文献２】特開平０９-２４９２３３号公報
【特許文献３】特開平０６-１４３８７９号公報
【０００３】
一方、今日の人間社会の複雑化等により、犬、猫等の愛玩動物（ペット）に愛情を注ぐ人が多くなり、その愛玩動物用餌の販売額も大きくなっているとともに、その餌の種類も多種多様となっている。
しかし、その餌の販売業者も多くあって、過当競争となっており、自己の商品の販売促進を行うべく、種々の工夫を行っている。
【考案の開示】
【考案が解決しようとする課題】
【０００４】
この考案は、このような実情の下、愛玩動物用餌の新規な販売促進を行い得るようにすることを課題とする。
【課題を解決するための手段】
【０００５】
上記課題を解決するために、この考案は、まず、従来のダイレクトメールと同様に、郵便によって、顧客に愛玩動物用餌を送ることとし、その際、特殊な郵便物ではなく、通常のダイレクトメールのような扁平物としたのである。
扁平郵便物であれば、受け取った者は違和感なく、通常のダイレクトメールと思って、その中身に興味を示す。
【０００６】
つぎに、この考案は、さらに従来のダイレクトメールと同様に、愛玩動物用餌を収納する袋を透明窓を有するものとしたのである。
透明窓を有すれば、この郵便物を受け取った者はさらに興味を示す。
【０００７】
さらに、この考案は、宛名スペースのみならず、伝文スペースをも有するものとしたのである。
この宛名スペース及び伝文スペースには、宛名及び伝文を印刷又はボールペン等の筆記具で記載する。印刷であれば、従来のダイレクトメールとなり、後者の記載であれば、販売者のみならす、愛玩動物愛好家が他の愛好家に、例えば、ちょっとしたお歳暮、お中元のみならす、お礼用はがき等として、その送り先の愛好家が所有する動物の好む餌を送ることができる。なお、宛名や伝文はシールに記載してそのシールを貼付することもできる。
【０００８】
その愛玩動物用餌としては、犬用、猫用などと、今日市販されている種々のものを採用することができるが、扁平に容易にし得る餌としては、犬用の「ササミ」を挙げることができる。
【考案の効果】
【０００９】
この考案は、以上のように、扁平郵便物とし、その収納袋を餌が見える透明窓を有すると共に、宛名スペース及び伝文スペースを有するものとしたので、今までになかった斬新な郵便物となり、販売促進に繋がるものである。
また、その宛名スペース及び伝文スペースを筆記具によって記載可能であるものとすれば、愛玩動物愛好家同士間等の個人同士における挨拶状代わりの郵便物となって、さらに斬新な郵便物となる。このとき、袋に、収納餌の宣伝文等を記載しておけば、販売促進にも繋がる。
【考案を実施するための最良の形態】
【００１０】
図１〜図４に一実施形態を示し、この実施形態は、犬用餌Ｂを収納した郵便物Ａである。
餌Ｂは、主原料の鶏ササミ及び小麦粉等の従来のササミ用材料を混連し、それを製麺機により圧延したのち、規定寸法に裁断し、その裁断片を９０℃で、１０分間、加熱殺菌し、２５℃の冷風乾燥を約４時間行った「ササミ」である。そのササミＢを袋Ｆに収納する（袋詰めする）。このササミＢには牛肉、馬肉、兎肉、豚肉、鹿肉、羊肉などの周知の材料をさらに混ぜることができる。
【００１１】
袋Ｆは、従来のダイレクトメールと同様に、プラスチックフィルムからなる封筒状の扁平物であって、その一面に宛名スペース１、他面に伝文スペース２が設けられている。その宛名スペース１及び伝文スペース２の表面（記載面）は、鉛筆、ボールペン、万年筆等の筆記具によって記載可能な処理が施されている。
【００１２】
また、袋Ｆの各面には、餌Ｂの配合割合、注意書き、使用方法等ａを印刷したり、犬用であること、各種のデザイン等ｂを印刷したりする。
その印刷スペースａ、ｂ、宛名スペース１、伝文スペース２以外、及びその各スペース１、２の印刷又は記載に支障がない限りにおいてその各スペース１、２内に透明窓３を適宜に形成する。この窓３によって、収納餌Ｂを確認できる。
この郵便物Ａは、その袋Ｆの全周縁がヒートシールｃによって密封されて、臭いが出ない等の衛生的なものとなっている。
【００１３】
この郵便物Ａは、店頭において、販促用として無償で、又は、ある価額でもって頒布又は販売する。
この郵便物Ａを入手した者は、宛名スペース１に送る愛犬家の住所氏名等を記載すると共に、伝文スペース２に、近況や相手の犬の状況確認、自己の愛犬の様子などを記載する。
【００１４】
この郵便物Ａを受け取った愛犬家は、郵便物Ａの伝文により、送り主の気持ちを読み取ると共に、自己の愛犬への思いをさらに深めて、そのササミ（餌）Ｂを所要の大きさにちぎって与え、愛犬との楽しい時間を過ごす。これにより、送り主への感謝の気持ちは倍増する。
一方、その餌Ｂの販売者に対しては、そのような気持ちにさせてくれた餌Ｂに「良い」印象をもち、つぎはその餌Ｂを買いたい気持ちを醸成させる。このため、販売促進に繋がる。
【００１５】
上記実施形態は、餌Ｂが「ササミ」の場合であったが、他の種々の扁平にし得る餌であれば、適宜な材料（餌）を採用することができる。また、この考案は、犬用にかぎらず、猫等の種々の愛玩動物の種々の餌に適用できることは勿論である。
【００１６】
この考案の郵便物は、以上の記載から理解できるように、愛犬者等の愛玩動物愛好家間へのその愛玩動物用餌を介した従来にないコミュニケーションの場を作り出すものとなる。このため、このような郵便物の販売は、新しい販売促進モデルと言うことができる。すなわち、扁平袋Ｆ内に扁平状愛玩動物用餌Ｂを収納し、その袋Ｆは餌Ｂが見える透明窓３を有すると共に、筆記具書きが可能な宛名スペース１及び伝文スペース２を有する郵便物Ａとし、その郵便物Ａを、販売又は頒布することにより、愛玩動物愛好家同士が通常の葉書などの郵便物と同様な従来にないコミュニケーションの場を作り出し、そのことによって、その餌Ｂの販売促進を図り得るものとなる。
【図面の簡単な説明】
【００１７】
【図１】一実施形態の正面図
【図２】同実施形態の裏面図
【図３】同実施形態の断面図
【図４】同実施形態の愛玩動物である犬用ササミの正面図
【符号の説明】
【００１８】
１  宛名スペース
２  伝文スペース
３  透明窓
Ａ  郵便物
Ｂ  愛玩動物用餌
Ｆ  プラスチックフィルム製袋
ａ、ｂ  印刷スペース
ｃ  ヒートシール
【図３】
0003130617.tif 000003
【図１】
0003130617.tif 000004
【図２】
0003130617.tif 000005
【図４】
0003130617.tif 000006
【手続補正書】
【提出日】平成19年1月24日(2007.1.24)
【手続補正１】
【補正対象書類名】図面
【補正対象項目名】図１
【補正方法】変更
【補正の内容】
【図１】
0003130617.tif 000007